(57)【要約】【課題】従来使用しているボトルや缶など半割状態の飲料見本をそのまま使用することができ、種類やメーカーの異なった飲料見本に対して共通の装飾を施すことができるようにしてコストを削減できる自動販売機用の飲料見本装飾装置の提供。【解決手段】缶、ボトル又はカップ等の飲料容器の形状を表した立体的な表示品１を前面側に突出した状態に保持させる支持部材２を備え、その表面に突設した立体的な表示品装飾部３を備え、この表示品装飾部３は、支持部材２に支持させた表示品の上下左右の何れかに位置させる表示品周縁側装飾部４と、表示品１の前面側の一部の外周を覆う配置の表示品前面側装飾部５とをもって構成し、表示品１は支持部材２に対して取り換え可能に装着させる。【選択図】  図１
2013222296.tif 000002
【特許請求の範囲】
【請求項１】
缶、ボトル又はカップ等の飲料容器の形状を表した立体的な表示品と、該表示品を前面側に突出した状態に保持させる支持部材と、該支持部材の表面に突設した立体的な表示品装飾部とを備え、
前記表示品装飾部は、前記支持部材に支持させた表示品の上下左右の何れかに位置させる表示品周縁側装飾部と、前記表示品の前面側の一部の外周を覆う配置の表示品前面側装飾部とをもって構成され、
前記表示品は前記支持部材に対して取り換え可能に装着されているとともに、
前記表示品装飾部は、前記表示品前面側装飾部と表示品装飾部とが連続した形状をなすとともに、統一したイメージの立体装飾を構成させたことを特徴としてなる自動販売機用の飲料見本装飾装置。
【請求項２】
前記表示品前面側装飾部は、支持部材とは別に成形されており、該支持部材に対して組みつけられることによって、該支持部材との間に前記表示品が嵌り合う表示品嵌合部が形成されている請求項1に記載の自動販売機用の飲料見本装飾装置。
【請求項３】
支持部材には、商品形状を縦割りの半割状に形成された表示品が嵌り合う表示品嵌合凹部を設け、該表示品嵌合凹部の底板を表示品背面部板とし、該表示品背面部板に表示品を透して見える表示を施してなる自動販売機用の飲料見本装飾装置。
【請求項４】
前記支持部材には、表裏に貫通開口され、裏面側より前記表示品が挿入されて前面側に突出されるようにした表示品嵌合用開口部を備えてなる請求項１に記載の自動販売機用の飲料見本装飾装置。
【発明の詳細な説明】
【技術分野】
【０００１】
本発明は、飲料用の自動販売機において、販売商品陳列窓に陳列する販売商品見本の表示品を装飾するための自動販売機用の飲料見本装飾装置に関する。
【背景技術】
【０００２】
従来、飲料用の自動販売機においては、販売商品陳列窓内の棚に販売商品を表す表示品を並べて陳列し、各表示品に対応した位置にあるボタンを押すことによって、該表示品に対応するする商品が選択されるようになっている。
【０００３】
この種の自動販売機における飲料見本は、従来、販売されている商品と同じ形状をした缶、ボトル、カップ等の見本が展示されていたが、近年に至り、商品形状を半割状にしてコストを低減させたものや、合成樹脂薄板にプリントを施し、これを半円筒状に丸めて基台に装着することにより立体化させたものが使用されるに至っている。
【０００４】
また、購買意欲を高めるための心理的効果を企図したものとして、見本形状以外の部分に、キャッチフレーズや他の商品に比べて印象を強くするための特別な装飾を施したものが開発され、近年に至り、商品形状を表す表示品部分と一体に、その周囲に、上記した装飾を一体に成形したものが開発されている。これらは、合成樹脂薄板を加熱して型内に真空引きすることによって一体成形された販促表示付の自動販売機用の飲料見本としている（例えば特許文献１〜３）。
【先行技術文献】
【特許文献】
【０００５】
【特許文献１】特開２００６−２０９３０２号公報
【特許文献２】特開２０１０−２１８５１２号公報
【特許文献３】特開２０１０−１９８５６０号公報
【発明の概要】
【発明が解決しようとする課題】
【０００６】
上述の如き各特許文献に示されている従来の飲料見本は、特定の商品と一体に販促表示部分が成形されているため、メーカーの違いや飲料の種類の違いに応じて、個別に型を成形し、印刷を施さなければならず、成形型数が多くなり、コスト高となるという問題があった。
【０００７】
本発明はこのような従来の問題に鑑み、従来使用しているボトルや缶など半割状態の飲料見本をそのまま使用することができ、種類やメーカーの異なった飲料見本に対して共通の装飾を施すことができるようにしてコストを削減できる自動販売機用の飲料見本装飾装置の提供を目的としてなされたものである。
【課題を解決するための手段】
【０００８】
上述の如き従来の問題を解決するための請求項1に記載の発明の特徴は、缶、ボトル又はカップ等の飲料容器の形状を表した立体的な表示品と、該表示品を前面側に突出した状態に保持させる支持部材と、該支持部材の表面に突設した立体的な表示品装飾部とを備え、前記表示品装飾部は、前記支持部材に支持させた表示品の上下左右の何れかに位置させる表示品周縁側装飾部と、前記表示品の前面側の一部の外周を覆う配置の表示品前面側装飾部とをもって構成され、前記表示品は前記支持部材に対して取り換え可能に装着されているとともに、前記表示品装飾部は、前記表示品前面側装飾部と表示品周縁側装飾部とが連続した形状をなすとともに、統一したイメージの立体装飾を構成させたことを特徴としてなる自動販売機用の飲料見本装飾装置にある。
【０００９】
請求項２に記載の発明の特徴は、請求項１の構成に加え、前記表示品前面側装飾部は、支持部材とは別に成形されており、該支持部材に対して組みつけられることによって、該支持部材との間に前記表示品が嵌り合う表示品嵌合部が形成されていることにある。
【００１０】
請求項３に記載の発明の特徴は、請求項２の構成に加え、支持部材には、商品形状を縦割りの半割状に形成された表示品が嵌り合う表示品嵌合凹部を設け、該表示品嵌合凹部の底板を表示品背面部板とし、該表示品背面部板に表示品を透して見える表示を施したことにある。
【００１１】
請求項４に記載の発明の特徴は、請求項１の構成に加え、前記支持部材には、表裏に貫通開口され、裏面側より前記表示品が挿入されて前面側に突出されるようにした表示品嵌合用開口部を備えたことにある。
【発明の効果】
【００１２】
本発明に係る自動販売機用の飲料見本装飾装置は、請求項1に記載の発明の特徴は、缶、ボトル又はカップ等の飲料容器の形状を表した立体的な表示品と、該表示品を前面側に突出した状態に保持させる支持部材と、該支持部材の表面に突設した立体的な表示品装飾部とを備え、前記表示品装飾部は、前記支持部材に支持させた表示品の上下左右の何れかに位置させる表示品周縁側装飾部と、前記表示品の前面側の一部の外周を覆う配置の表示品前面側装飾部とをもって構成され、前記表示品は前記支持部材に対して取り換え可能に装着されているとともに、前記表示品装飾部は、前記表示品前面側装飾部と表示品周縁側装飾部とが連続した形状をなすとともに、統一したイメージの立体装飾を構成させたことにより、従来使用されているボトル、缶、カップ等の表示品をそのまま取り替え使用することができ、従来のように商品のメーカーや種類に毎に、装飾付の成形型を作成する必要がなくなり、コストが削減されるとともに優れた装飾効果を発揮させることができる。
【００１３】
また、本発明は請求項２に記載のように、前記表示品前面側装飾部を、支持部材とは別に成形し、該支持部材に対して組みつけることによって、該支持部材との間に前記表示品が嵌り合う表示品嵌合部が形成されるようにしたことにより、表示品前面側装飾部を複雑な形状とすることが容易となり、装飾効果の高い製品が得られる。
【００１４】
本発明においては、請求項３に記載のように、支持部材には、商品形状を縦割りの半割状に形成された表示品が嵌り合う表示品嵌合凹部を設け、該表示品嵌合凹部の底板を表示品背面部板とし、該表示品背面部板に表示品を透して見える表示を施したことにより、半割状の表示品であっても背面の立体感や背景を表示することができることとなり、装飾効果を高くできる。
【００１５】
本発明においては、請求項４に記載のように、前記支持部材には、表裏に貫通開口され、裏面側より前記表示品が挿入されて前面側に突出されるようにした表示品嵌合用開口部を備えたことにより、部品点数を少なくでき、これらを製造するための成形型も少なくて済み、コストを削減できる。
【図面の簡単な説明】
【００１６】
【図１】本発明に係る自動販売機用の飲料見本装飾装置耐震装置の第一実施例の全体の概略構成を示す斜視図である。
【図２】図１中のＡ−Ａ線断面図である。
【図３】図１に示す装置の分解斜視図である。
【図４】本発明に係る自動販売機用の飲料見本装飾装置耐震装置の第二実施例の全体の概略構成を示す斜視図である。
【図５】図４中のＢ−Ｂ線断面図である。
【図６】図４に示す装置の分解斜視図である。
【発明を実施するための形態】
【００１７】
次に、本発明の実施の態様を、図面に示した実施例に基づいて説明する。
【００１８】
図１〜図３は本発明に係る自動販売機用の飲料見本装飾装置の第一実施例を示しており、この装置は、飲料用ボトルを半割状に形成して表した立体的な表示品１と、該表示品１を前面側に突出した状態に保持させる支持部材２と、該支持部材２の表面に突設した立体的な表示品装飾部３とを備えている。
【００１９】
表示品装飾部３は、支持部材２に支持させた表示品の上下左右の何れかに位置させる表示品周縁側装飾部４と、表示品１の前面側の一部の外周を覆う配置の表示品前面側装飾部５とをもって構成されている。
【００２０】
この実施例では、表示品前面側装飾部５を支持部材２とは別に成形し、支持部材２の表面に後付けの状態で着脱自在としている。そして支持部材２に対して表示品前面側装飾部５が組みつけられることによって、支持部材２との間に表示品１が嵌り合う表示品嵌合部が形成されるようになっている。
【００２１】
表示品前面側装飾部５の両側部にはフランジ状の張り出し片５ａが一体に形成され、その裏面にいわゆるパッチン止め用の穴６ａが形成され開口され、この穴６ａに対応する支持部材２の表面にパッチン止め用の突起６ｂが突設され、穴６ａ内に突起６ｂが圧入される人によって、表示品前面側装飾部５が支持部材２に取り外し可能に固定されるようになっている。
【００２２】
支持部材２には、その表面に、ボトル又は缶又はカップを半割状にした形状の表示品１の形状に合わせた表示品嵌合凹部１０が一体に形成され、この凹部１０内に表示品１を嵌合させて支持部材２の表面に突設させた状態で、該表示品１の表面側に前記表示品前面側装飾部５を当接させ、該表示品前面側装飾部５の両側部を前記穴６ａ内に突起６ｂを圧入することによって固定し、これによって表示品１を外れ止めしている。
【００２３】
表示品周縁側装飾部４は、支持部材２の前記表示品嵌合凹部１０周囲に一体に成形した立体的な部分と、平面的な部分とから構成されている。
【００２４】
また、表示品嵌合凹部１０の底を構成している表示品背面部板１０ａにも、表示品１を透して見える表示が施されている。この装飾は印刷による平面的なものであってもよく、支持部材２の成形時に一体成型した立体的装飾であってもよい。
【００２５】
この実施例では、表示品１を斜めに傾け、その背部、周縁部及び前面側に各装飾が施されているものであり、一例として、清涼飲料の表示品１に対応させて、その周縁に配置させたブロック氷、表示品の前面側に巻きつくように流れる水流を表した全体として水流と氷によって清涼感をイメージさせるように、表示品周縁側装飾部４と表示品前面側装飾部５とが連続し、全体が統一したイメージの立体装飾を構成させている。
【００２６】
この他、装飾の種類としては、ホットなコーヒー、紅茶、緑茶等の飲料では、コーヒー豆、生殖している茶葉等の品種的な表示や湯気等の温度的メージの表示の組み合わせ等、各種の装飾を施すことができる。
【００２７】
上述した実施例では、支持部材２の表面の表示品嵌合凹部１０に表示品１を嵌め合わせ、その前面側に表示品前面側装飾部５を固定する形式を採用したものであるが、この他、図４〜図６に示す第二実施例のように、表示品嵌合凹部１０に相当する部分を表示品形状に切り抜いた形状の表示品嵌合用開口部１１を形成するとともに、表示品前面側装飾部５、表示品周縁側装飾部４を支持部材２に一体に形成したものを使用し、表示品１を支持部材２の背面側より表示品嵌合用開口部１１に嵌め合わせて支持部材２表面側に突設させ、その周縁側及び前面側を前述した表示品前面側装飾部５、表示品周縁側装飾部４によって装飾するようにしてもよい。
【００２８】
なお、上述した各実施例における表示品は、ボトルを半割状にしたものを示しているが、この他、缶やカップ等を形状を半割状にした表示品を使用し、これに対応させた構造とすることができる。
【符号の説明】
【００２９】
１  表示品
２  支持部材
３  表示品装飾部
４  表示品周縁側装飾部
５  表示品前面側装飾部
５ａ  張り出し片
６ａ  穴
６ｂ  突起
１０  表示品嵌合凹部
１０ａ  表示品背面部板
１１  表示品嵌合用開口部
【図１】
2013222296.tif 000003
【図２】
2013222296.tif 000004
【図３】
2013222296.tif 000005
【図４】
2013222296.tif 000006
【図５】
2013222296.tif 000007
【図６】
2013222296.tif 000008